(57)【要約】【課題】隣接する中空帯板材を強固に接続させる。【解決手段】複数の中空帯板材ａ、ｂ等を接合する接合構造であって、中空帯板材ａ、ｂ等は、表面板１ａと裏面板１ｂとの間に中空部３を有し、中空部３の表側の両側には表面板の延長縁４を形成し、裏側の両側には上記延長縁４と平行な支持縁５を形成し、表側または裏側に一方の中空帯板材ａの隣り合う帯板材の一方の延長縁４の係合部７を他方の延長縁４の係合溝８に係合するとともに、一方の支持縁５の挟持溝１１をかしめて該挟持溝１１の内側に他方の支持縁５の突縁１０を挟持させて接合した。【選択図】図１
2007016827.tif 000002
【特許請求の範囲】
【請求項１】
複数の中空帯板材を接合する接合構造であって、少なくとも、表側または裏側に一方の中空帯板材の隣り合う帯板材の一方の延長縁の係合部を他方の延長縁の係合溝に係合するとともに、一方の支持縁の挟持溝をかしめて該挟持溝の内側に他方の支持縁の突縁を挟持させて接合した
ことを特徴とする中空帯板材の接合構造。
【請求項２】
複数の中空帯板材を接合する接合構造であって、
上記中空帯板材は、表面板と裏面板との間に中空部を有し、中空部の表側の両側には表面板の延長縁を形成し、裏側の両側には上記延長縁と平行な支持縁を形成し、上記延長縁の一方には先端が裏側に屈曲した係合部を、他方には上記係合部に係合可能な大きさの係合溝を形成し、上記支持縁の一方の裏側には突縁を、他方の裏側には挟持溝を形成するとともに、
隣り合う帯板材の一方の延長縁の係合部を他方の延長縁の係合溝に係合するとともに、一方の支持縁の挟持溝をかしめて該挟持溝の内側に他方の支持縁の突縁を挟持させて接合した
ことを特徴とする請求項１記載の中空帯板材の接合構造。
【請求項３】
上記延長縁と支持縁とを連結片によって連結して上記中空部の端部に別個の中空部を形成したことを特徴とする、請求項１記載の中空帯板材の接合構造。
【請求項４】
上記支持縁は、上記中空部の端部の中間部から形成され、かつ上記挟持溝の裏面と同じか又は上記裏面板の裏面よりも内側に形成されている、請求項１又は２に記載の中空帯板材の接合構造。
【請求項５】
表面板と裏面板との間に中空部を形成した、２つの中空帯板材を接合する接合構造であって、上記中空部の表側と裏側には表面板と裏面板の延長縁を形成し、一方の中空帯板材の一方の延長縁に形成された挟持溝をかしめて該挟持溝の内側に、他方の中空帯板材の延長縁に形成された突縁を挟持させて接合した
ことを特徴とする中空帯板材の接合構造。
【発明の詳細な説明】
【技術分野】
【０００１】
本発明は、表面板と裏面板との間に中空部を有する中空帯板材の接合構造に関する。
【背景技術】
【０００２】
一般に、標識板や掲示板のような表面が平坦な大型の板状体は、大型の一枚板かあるいは小さな板材を接合した複合板によって構成されている。一枚板の場合、表面に凹凸がなく、その上に印刷フィルム等を貼着しても一体の連続面であるから仕上がりが綺麗である。その反面、一枚板の強度は板厚によって確保される場合が多いから、高強度の板状体は単価が高くなる。これに対し、複合板の場合は、単価が廉価であるほか、強度も板厚ではなくリブ出しによって確保することができるから、全体としてのコストも低く抑えることができる。その反面、複合板は複数の板材を接合した構成であるから、隣り合う板材間に凹凸が出やすく、印刷物を貼ると、板材の境界に凹凸が生じ、印刷物自体が美しくても、その美しさが損なわれてしまうという問題がある。
【０００３】
ところが、複合板には、上記欠点があるものの、コストが安く、大型の設備は不要であり、全体の大きさを自由に調整できる、アルミニウムであればアルマイト処理は形材の方が板材よりも経済的である等の利点があるという理由から、表面が平坦な大型の板材を形成するには、凹凸の少ない板状体の複合板が望まれている。
【０００４】
そして、中空の帯板材を接合して大型の板状体を製造する場合は、一方の帯板材の端部の表裏側に係止部（又は嵌合部）を形成し、各係止部を隣接する帯板材の端部の表裏側に形成された係止受け部（又は嵌合受け部）に係止（又は嵌合）させることによって行われていた。
【特許文献１】特開２０００−１２０２１７
【特許文献２】特開平３−１２９１１１
【発明の開示】
【発明が解決しようとする課題】
【０００５】
しかしながら、従来の構成によれば、接合作業は容易であるが、容易である半面、隣接する中空帯板材を強固に接続させることはできない。
【０００６】
本発明は上記問題点を解消し、隣接する中空帯板材を強固に接合させることができる中空帯板材の接合構造を提供することをその課題とする。
【課題を解決するための手段】
【０００７】
前記課題を解決するため請求項１に係る発明は、複数の中空帯板材を接合する接合構造であって、少なくとも、表側または裏側に一方の中空帯板材の隣り合う帯板材の一方の延長縁の係合部を他方の延長縁の係合溝に係合するとともに、一方の支持縁の挟持溝をかしめて該挟持溝の内側に他方の支持縁の突縁を挟持させて接合したことを特徴とする。
【０００８】
請求項２に係る発明は、表面板と裏面板との間に中空部を有するとともに、中空部の表側の両側には表面板の延長縁を形成し、裏側の両側には上記延長縁と平行な支持縁を形成し、上記延長縁の一方には先端が裏側に屈曲した係合部を、他方には上記係合部に係合可能な大きさの係合溝を形成し、上記支持縁の一方の裏側には突縁を、他方の裏側には挟持溝を形成した複数の帯板材を、隣り合う帯板材の一方の延長縁の係合部を他方の延長縁の係合溝を係合し、一方の支持縁の挟持溝をかしめて他方の支持縁の突縁を挟持させて接合したことを特徴とする。
【０００９】
請求項３に係る発明は、上記延長縁と支持縁とを連結片によって連結して上記中空部の端部に別個の中空部を形成したことを特徴とする。
【００１０】
請求項４に係る発明は、上記支持縁は、上記中空部の端部の中間部から形成され、かつ上記挟持溝の裏面と同じか又は上記裏面板の裏面よりも内側に形成されていることを特徴とする。
【００１１】
請求項５に係る発明は、表面板と裏面板との間に中空部を形成した、２つの中空帯板材を接合する接合構造であって、上記中空部の表側と裏側には表面板と裏面板の延長縁を形成し、一方の中空帯板材の一方の延長縁に形成された挟持溝をかしめて該挟持溝の内側に、他方の中空帯板材の延長縁に形成された突縁を挟持させて接合した
ことを特徴とする。
【発明の効果】
【００１２】
請求項１に係る発明によれば、少なくとも、表側または裏側に一方の中空帯板材の隣り合う帯板材の一方の延長縁の係合部を他方の延長縁の係合溝に係合するとともに、一方の支持縁の挟持溝をかしめて該挟持溝の内側に他方の支持縁の突縁を挟持させて接合したので、用意に強固なサインボード等が得られる。板材として、サインボード以外にも、壁板材等としても使用できる。また、パイプ等の場合には、外側に、かしめ部を配置する構成としてもよい。
【００１３】
請求項２に係る発明によれば、支持縁の一方の裏側には突縁を、他方の裏側には挟持溝を形成した複数の帯板材を、隣り合う帯板材の一方の延長縁の係合部を他方の延長縁の係合溝を係合し、一方の支持縁の挟持溝をかしめて他方の支持縁の突縁を挟持させて接合したから、隣接する中空帯板材を強固に接合させることができる。
【００１４】
請求項３に係る発明によれば、係合部、係合溝、突縁および挟持溝がみだりに動かないので、接合を強固に確保することができる。
【００１５】
請求項４に係る発明によれば、上記支持縁は、上記中空部の端部の中間部から形成され、かつ上記挟持溝の裏面と同じか又は上記裏面板の裏面よりも内側に形成されているから、枠に納めたりするときの処理が簡単である。
【００１６】
請求項５に係る発明によれば、中空内部に、嵌合、かしめ部を配置できるので、表面が面一で、強固な材料が得られる。
【発明を実施するための最良の形態】
【００１７】
図１は中空帯板材の接合構造を示す断面図、図２はその要部の拡大図であり、図３は中空帯板材の側面図である。
【００１８】
上記接合構造は、図３に示す複数の中空帯板材ａ、ｂ、ｃを接合したもので、これらの中空帯板材ａ、ｂ、ｃはアルミニウムなどの押出形材から構成され、中央の中空帯板材ａは、表面板１ａと裏面板１ｂとの間に中空部３を有する押出形材で、中空部３の一側の表側には表面板１ａの延長縁４が形成されている。また、中空部３の裏側には上記延長縁４と平行な支持縁５が形成されている。上記支持縁５は、上記中空部３の端部６の中間部から形成されている。そして、延長縁４の先端には裏側に屈曲した係合部７が形成され、支持縁５の先端には直角に屈曲した突縁１０が形成されている。
【００１９】
また、中空部３の他側にも小さな台形状の中空部３ａが形成され、中空部３ａの端部には、上記係合部７に係合可能な大きさの係合溝８と挟持溝１１が形成されている。挟持溝１１の裏面は上記裏面板１ｂの裏面のレベルと同じに形成されている。
【００２０】
上記突縁１０の外側面には凹溝１２が形成され、内側面には上下２個の凹条部１３が形成されている。これらの２個の凹条部１３は、上記凹溝１２より上および下の位置に形成されている。さらに、帯板部１の突縁１０側の端部には戻り止め突起１４が形成されている。この戻り止め突起１４の内側には傾斜した案内面５が形成されている。
【００２１】
次に、上記挟持溝１１は外側の溝壁１１ａと内側の溝壁１１ｂと溝底１１ｃとから構成されている。内側の溝壁１１ｂの内面には上記突縁１０の凹溝１２に嵌まり合う嵌合凸部１５が形成されている。また、外側の溝壁１１ａの内面には上記突縁１０の凹条部１３に係合可能な２個の凸条部１６が形成されている。さらに、外側の溝壁１１ａの基部には、薄肉部１７がＶ字状に形成されている。溝底１１ｃには、上記突縁１０の先端を案内する案内凸部１８が形成されている。
【００２２】
なお、上記外側の溝壁１１ａは押出成形時には内側の溝壁１１ｂに対して斜めになり、挟持溝１１が開くように成形されている。
【００２３】
次に、中空帯板材ｂの中空部３の一側にも小さな台形状の中空部３ａが形成され、中空部３ａの端部には、上記係合部７に係合可能な大きさの係合溝８と挟持溝１１が形成されている。
【００２４】
また、中空帯板材ｃの中空部の一側には、延長縁４と平行な支持縁５が形成され、延長縁４の先端には裏側に屈曲した係合部７が形成され、支持縁５の先端には直角に屈曲した突縁１０が形成されている。
【００２５】
ところで、中空帯板材ａ、ｂの中空部３ａは、延長縁４と支持縁５の先端を連結片９で連結して構成されているものであるから、上記中空部３ａも延長縁４と支持縁５とを備えているということができる。同様に、中空部３ａと隣り合う延長縁４と支持縁５も連結片（図示せず）によって連結することによって中空に形成することができる。これによれば、係合部、係合溝、突縁および挟持溝がみだりに動かない。
【００２６】
次に、上記構成の中空帯板材ａ、ｂを接合するときは、図１および図３に示されるように、中空帯板材ａの延長縁４の係合部７を中空帯板材ｂの係合溝８に係合させる。そして、中空帯板材ａの突縁１０を中空帯板材ｂの挟持溝１１内に差し込む。このとき、突縁１０の先端は溝底１１ｃの案内凸部１８により内側の溝壁１１ｂの方に寄った位置に案内され、嵌合凸部１５と凹溝１２とが嵌合する。そこで、かしめ装置（図面省略）により上記外側の溝壁１１ａを内側に曲げると、外側の溝壁１１ａは薄肉部から曲がり、その先端は戻り止め突起１４の内側に入り込むとともに、強く突縁１０にかしめ付けられる。このとき、外側の溝壁１１ａの凸条部１６は突縁１０の凹条部１３に係合する。
【００２７】
次に、中空帯板材ａに中空帯板材ｃを接合する場合も同様とする。複数の中空帯板材ａを接合する場合も同様である。
【００２８】
なお、中空部３の両端部は斜めに形成され、上記かしめ部分の外側には広い空間が確保されているので、かしめ作業を容易に行うことができる。
【００２９】
上述のように、中空帯板材ｂ（ａ）に形成した挟持溝１１の外側の溝壁１１ａを予め開いておいて他方の中空帯板材ｂ（ｃ）の突縁１０を差し込み、上記溝壁１１ａを閉じるようにしてかしめれば中空帯板材ａを強く接合することができる。
【００３０】
中空帯板材ａ、ｂ、ｃの接合はかしめによるものであるから、隣り合う中空帯板材ａ、ｂ又はａ、ｃ同士は強固に結合する。また、一方の中空帯板材の突縁１０の外側面の凹溝１２と、他方の中空帯板材の嵌合凸部１５とが嵌り合い、さらに、一方の中空帯板材の凹条部１３と他方の中空帯板材の凸条部１６とが係合するので、両中空帯板材が正しく位置決めされるから、両中空帯板材は面一に保持される。したがって、一枚板のような表面状態のボードを製作することができる。また、中空帯板材の数によって大小いろいろなボードを製作することができる。
【００３１】
しかも、凹溝１２と嵌合凸部１５とが嵌合し、凸条部１６と凹条部１３とが係合した上でかしめを行うものであるから、２枚の中空帯板材ａの係合は強固であり、振動や衝撃を受けても接合の緩みや外れを起こすことがない。
【００３２】
また、上記突縁１０の凹条部１３は、上記凹溝１２より上および下の位置に２個形成されているから、外側の溝壁１１ａをかしめたとき、この溝壁の凸条部１６が上記凹条部１３に強く押圧されるので、接合が強固となる。
【００３３】
さらに、上記外側の溝壁１１ａをかしめて閉じたとき、戻り止め突起１４によって元の開き状態に戻ることはできないから、接合状態は良好に保持される。
【００３４】
また、挟持溝１１の溝内へ突縁１０を差し込むと、突縁１０の先端は案内凸部１８に案内されて所定の位置に位置決めされるので、突縁１０が挟持溝１１内で遊んでぐらつくことがない。
【００３５】
さらにまた、外側の溝壁１１ａをかしめるとき、必ず薄肉部から曲がっていくから、かしめ作業が安定する。
【００３６】
さらに、上記支持縁５は、中空部３の端部の中間部から形成され、かつ挟持溝１１の裏面は上記裏面板１ｂの裏面と同じに形成されているので、裏面の面一性が確保され、枠などに円滑に納めることができる。なお、挟持溝１１の裏面は上記裏面板１ｂの裏面のレベルよりも内側に（表面側）に形成し、裏面よりも外側に出っ張らないようにするのが好ましい。
【００３７】
支持縁５の突縁１０と挟持溝１１とは、上述の例に限定されない。例えば、図４（ａ）（ｂ）（ｃ）のように構成してもよい。なお、同図において前述と同じ符号は同じ部材を示すものとする。同図中符号２０は係合突起である。
【００３８】
なお、中空帯板材の接合構造は上述の実施形態に限定されない。たとえば、図５に示されるように、表面板１ａと裏面板１ｂとの間に中空部を形成した、２つの中空帯板材ｄ、ｅを接合する接合構造であって、上記中空部３の表側と裏側には表面板１ａと裏面板１ｂの延長縁４を形成し、一方の中空帯板材ｄの一方の延長縁４に形成された挟持溝１１をかしめて該挟持溝１１の内側に、他方の中空帯板材ｅの延長縁４に形成された突縁１０を挟持させて接合するようにしてもよい。
【００３９】
また、挟持溝１１と突縁１０との接合は、図４（ａ）（ｂ）（ｃ）に示したものと同じ構造にすればよい。
【図面の簡単な説明】
【００４０】
【図１】中空帯板材の接合構造を示す断面図である。
【図２】中空帯板材の断面図である。
【図３】図１の要部の拡大図である。
【図４】（ａ）（ｂ）（ｃ）は、他の接合構造の例の断面図である。
【図５】他の接合構造の例の断面図である。
【符号の説明】
【００４１】
ａ、ｂ、ｃ、ｄ、ｅ  中空帯板材
１ａ  表面板
１ｂ  裏面板
７  係合部
８  係合溝
１０  突縁
１１  挟持溝
【図１】
2007016827.tif 000003
【図２】
2007016827.tif 000004
【図３】
2007016827.tif 000005
【図４】
2007016827.tif 000006
【図５】
2007016827.tif 000007